(57)【要約】【課題】ソーラーパネルのアレイを支持するパネル架台の縦梁が、所定の高さ及び梁勾配で延設するように容易に調整できるパネル架台の縦梁の勾配調整機構を提供する。【解決手段】勾配調整機構は、一対の側面部１７ｂの間に支柱部材１５の上端部を挟み込んだ状態で、支柱部材１５の上端部に回転可能に連結される回転連結金物１７と、回転連結金物１７の天面部１７ａに締着される雄ネジボルト部１８ａ及び雄ネジボルト部１８ａに接合された縦梁受け部１８ｂを備える縦梁固定金物１８とを用いて形成される。回転連結金物１７は、縦梁１２の梁勾配に沿った延設方向と垂直な回転軸１７ｄを中心として回転可能にヒンジ連結されている。縦梁固定金物１８は、雄ネジボルト部１８ａによって縦梁受け部１８ｂの配設高さが調整されると共に、縦梁受け部１８ｂに縦梁１２を剛結することで、縦梁１２を、所定の高さ及び梁勾配で延設させた状態で固定する。【選択図】図３
2020096418.tif 000002
【特許請求の範囲】
【請求項１】
ソーラーパネルを構成するアレイを所定の面勾配となるように設置させる、複数本の縦梁と複数本の横梁とからなるパネル架台の各々の縦梁を、基礎部から立設する少なくとも２本の支柱部材によって支持させて、所定の高さ及び梁勾配で延設させた状態で固定するためのパネル架台の縦梁の勾配調整機構であって、
天面部と一対の側面部とからなる開放側を下方に向けたコの字断面形状を備え、一対の側面部の間に前記支柱部材の上端部を挟み込んだ状態で、前記支柱部材の上端部に回転可能にヒンジ連結される回転連結金物と、該回転連結金物の前記天面部に設けられた締着孔に締着される雄ネジボルト部、及び該雄ネジボルト部の上端部に一体として接合された縦梁受け部を備える縦梁固定金物とを用いて形成されるようになっており、
前記回転連結金物は、前記縦梁の梁勾配に沿った延設方向と垂直な回転軸を中心として回転可能に前記支柱部材の上端部にヒンジ連結されており、前記縦梁固定金物は、前記回転連結金物の前記天面部からの前記縦梁受け部の配設高さを調整した状態で、前記雄ネジボルト部が前記締着孔に締着されると共に、前記縦梁受け部に前記縦梁が剛結されており、
前記縦梁は、前記回転連結金物及び前記縦梁固定金物を介して少なくとも２本の前記支柱部材によって支持されることにより、所定の高さ及び梁勾配で延設させた状態となるように調整されて固定されるパネル架台の縦梁の勾配調整機構。
【請求項２】
前記縦梁固定金物の前記雄ネジボルト部は、前記回転連結金物の前記天面部を挟み込むようにして配置された一対のナット部材が上方及び下方から締め付けられることにより、前記回転連結金物の前記天面部からの前記縦梁受け部の配設高さを調整した状態で、前記締着孔に締着されるようになっている請求項１記載のパネル架台の縦梁の勾配調整機構。
【請求項３】
前記縦梁は、開放側を側方に向けて配置されるコの字断面形状を備える溝形鋼からなり、前記縦梁固定金物の前記縦梁受け部は、Ｌ字断面形状を備える山形鋼を用いて形成されており、前記縦梁は、前記溝形鋼の中間プレート部の外側面を前記縦梁受け部の基盤プレート部の一辺部から立設する立設プレート部の内側面に沿わせた状態で、前記縦梁の中間プレート部と前記縦梁受け部の立設プレート部とが接合されることによって、前記縦梁受け部に前記縦梁が剛結されるようになっている請求項１又は２記載のパネル架台の縦梁の勾配調整機構。
【請求項４】
前記ソーラーパネルは、未整地の斜面に設置されるようになっており、少なくとも２本の前記支柱部材は、未整地の斜面に設けられた基礎部から各々立設して設けられている請求項１〜３のいずれか１項記載のパネル架台の縦枠の勾配調整機構。
【発明の詳細な説明】
【技術分野】
【０００１】
本発明は、パネル架台の縦梁の勾配調整機構に関し、特に、ソーラーパネルを構成するアレイを所定の面勾配となるように敷設させるパネル架台の縦梁を、所定の高さ及び梁勾配で延設させた状態で固定するためのパネル架台の縦梁の勾配調整機構に関する。
【背景技術】
【０００２】
近年、地球温暖化や、化石燃料をはじめとする資源の枯渇に対する対策として、太陽光エネルギーや、風力エネルギー、潮力エネルギー等といった自然エネルギーを利用する取り組みがなされている。特に太陽光エネルギーの利用については、種々のソーラーパネルが開発されており、建物の屋根部分にソーラーパネルを設置することにより、主として家庭用の電力を安価に得られるようにすることの他、広大な専用の敷地にソーラーパネルを構成する多数のアレイを設置することで、多量の電力を効率良く得られるようにすることが行われている。
【０００３】
一方、ソーラーパネルを構成する多数のアレイを設置して、多量の電力を効率良く得られるようにする場合、多数のアレイを設置するのに適した広大な敷地を確保することが難しく、また広大な敷地を整地するには多々なコストがかかることから、例えば山間部等における未整地の斜面をそのまま利用して、多数のアレイを安価に設置できるようにする取り組みもなされている（図１参照）。また、自然のままの斜面若しくはそれに近い人工的な斜面に対して、ソーラーパネルを構成する各々のアレイを設置するための架台を取り付ける場合、地盤面は起伏が多く、安定してないことから、設置されるソーラーパネルのアレイの傾斜方向や傾斜角度の調整の自由度を高めることを可能にした、太陽光パネル用架台も開発されている（例えば、特許文献1参照）。
【先行技術文献】
【特許文献】
【０００４】
【特許文献１】特開２０１７−１９２２３２号公報
【発明の概要】
【発明が解決しようとする課題】
【０００５】
ソーラーパネルを構成する多数のアレイを、山間部等における未整地の斜面をそのまま利用して設置しようとする場合、未整地の斜面は、人の往来も少なく、景観等に特に配慮する必要もないことから、できるだけ簡易な構成によって、安価に、且つ多くの手間を要することなく、各々のアレイを設置できるようにすることが望ましい。
【０００６】
このため、従来の方法では、ソーラーパネル（太陽光パネル）を構成する多数のアレイを、アレイ毎に所定の面勾配となるように敷設させる簡易な架台として、図４に示すように、複数本の縦梁５１と複数本の横梁５２とからなるパネル架台５０を用い、複数本の縦梁５１を所定の梁勾配で延設させて固定した後に、縦梁５１に支持させて、縦梁５１と交差する方向に複数本の横梁５２を取り付け、取り付けた横梁５２に支持させて、これの上面にアレイ５４を敷設して取り付けることにより、所定の面勾配となるように各々のアレイ５４を設置する方法が採用されていた。また複数本の縦梁５１を所定の梁勾配で延設させた状態で各々固定する方法として、地盤面に設けた基礎部５５から立設する支柱部材５６の上端部に、金属製のプレート部材をＬ字形に折り曲げて形成した梁受け金物５７を接合することにより、当該梁受け金物５７の折曲げ面部５７ａを、アレイ５４の面勾配に合わせた縦梁５３の梁勾配に沿って傾斜させた状態で、所定の高さ位置に張り出させておき、張り出させた折曲げ面部５２ａに支持させて、これの上面に沿わせて設置した縦梁５３を、ボルト締めにより接合することによって、縦梁５３を、所定の梁勾配で延設させて固定する方法が採用されていた。
【０００７】
しかしながら、複数本の縦梁５１と複数本の横梁５２とからなる簡易なパネル架台５０を用いて、上述の方法によってソーラーパネルを構成するアレイ５４を所定の面勾配となるように敷設する場合、特に山間部等における起伏の多い未整地の斜面にソーラーパネルを設置する際には、地盤面に設けた基礎部５５から立設する支柱部材５６を、設定された所定の高さ位置に天端部が配置されるように精度良く設置することや、梁受け金物５２の折曲げ面部５２ａを、設定された縦梁５３の梁勾配に沿った所定の高さ位置に精度良く傾斜させた状態で配置することは、基礎部５５が傾いていたりすることなどにより困難である。
【０００８】
このため、複数本の縦梁５１と複数本の横枠５２とからなる簡易なパネル架台５０を用いて、ソーラーパネルのアレイ５４を所定の面勾配となるように各々敷設する場合、ソーラーパネルの設置現場において、縦梁５１を支持する支柱部材５６の高さや、支柱部材５６の上端部に取り付けられた梁受け金物５２の折曲げ部分５２ａの高さや傾斜角度等を、その都度調整して変更しながら作業を行う必要を生じることで、多くの手間を要することになる。このようなことから、ソーラーパネルの設置現場において、多くの手間を要することなく、各々のアレイ５４を支持する縦梁５１が設定された計画通りの所定の高さ及び梁勾配で延設するように、多くの手間を要することなく容易に調整できるようにする技術の開発が望まれている。
【０００９】
本発明は、ソーラーパネルの設置現場において、アレイを支持するパネル架台の縦梁が所定の高さ及び梁勾配で延設するように、多くの手間を要することなく容易に調整することを可能にするパネル架台の縦梁の勾配調整機構を提供することを目的とする。
【課題を解決するための手段】
【００１０】
本発明は、ソーラーパネルを構成するアレイを所定の面勾配となるように設置させる、複数本の縦梁と複数本の横梁とからなるパネル架台の各々の縦梁を、基礎部から立設する少なくとも２本の支柱部材によって支持させて、所定の高さ及び梁勾配で延設させた状態で固定するためのパネル架台の縦梁の勾配調整機構であって、天面部と一対の側面部とからなる開放側を下方に向けたコの字断面形状を備え、一対の側面部の間に前記支柱部材の上端部を挟み込んだ状態で、前記支柱部材の上端部に回転可能にヒンジ連結される回転連結金物と、該回転連結金物の前記天面部に設けられた締着孔に締着される雄ネジボルト部、及び該雄ネジボルト部の上端部に一体として接合された縦梁受け部を備える縦梁固定金物とを用いて形成されるようになっており、前記回転連結金物は、前記縦梁の梁勾配に沿った延設方向と垂直な回転軸を中心として回転可能に前記支柱部材の上端部にヒンジ連結されており、前記縦梁固定金物は、前記回転連結金物の前記天面部からの前記縦梁受け部の配設高さを調整した状態で、前記雄ネジボルト部が前記締着孔に締着されると共に、前記縦梁受け部に前記縦梁が剛結されており、前記縦梁は、前記回転連結金物及び前記縦梁固定金物を介して少なくとも２本の前記支柱部材によって支持されることにより、所定の高さ及び梁勾配で延設させた状態となるように調整されて固定されるパネル架台の縦梁の勾配調整機構を提供することにより、上記目的を達成したものである。
【００１１】
そして、本発明のパネル架台の縦梁の勾配調整機構は、前記縦梁固定金物の前記雄ネジボルト部が、前記回転連結金物の前記天面部を挟み込むようにして配置された一対のナット部材が上方及び下方から締め付けられることにより、前記回転連結金物の前記天面部からの前記縦梁受け部の配設高さを調整した状態で、前記締着孔に締着されるようになっていることが好ましい。
【００１２】
また、本発明のパネル架台の縦梁の勾配調整機構は、前記縦梁が、開放側を側方に向けて配置されるコの字断面形状を備える溝形鋼からなり、前記縦梁固定金物の前記縦梁受け部は、Ｌ字断面形状を備える山形鋼を用いて形成されており、前記縦梁は、前記溝形鋼の中間プレート部の外側面を前記縦梁受け部の基盤プレート部の一辺部から立設する立設プレート部の内側面に沿わせた状態で、前記縦梁の中間プレート部と前記縦梁受け部の立設プレート部とが接合されることによって、前記縦梁受け部に前記縦梁が剛結されるようになっていることが好ましい。
【００１３】
さらに、本発明のパネル架台の縦梁の勾配調整機構は、前記ソーラーパネルが、未整地の斜面に設置されるようになっており、少なくとも２本の前記支柱部材は、未整地の斜面に設けられた基礎部から各々立設して設けられていることが好ましい。
【発明の効果】
【００１４】
本発明のパネル架台の縦梁の勾配調整機構によれば、ソーラーパネルの設置現場において、アレイを支持するパネル架台の縦梁が所定の高さ及び梁勾配で延設するように、多くの手間を要することなく容易に調整することができる。
【図面の簡単な説明】
【００１５】
【図１】本発明の好ましい一実施形態に係るパネル架台の縦梁の勾配調整機構を説明する、ソーラーパネルを構成するアレイが設置されるパネル架台を斜め下方から見た部分斜視図である。
【図２】ソーラーパネルを構成する多数のアレイを、未整地の斜面に設置した状態を説明する斜視図である。
【図３】本発明の好ましい一実施形態に係るパネル架台の縦梁の勾配調整機構を説明する拡大斜視図である。
【図４】パネル架台の縦梁の勾配を調整する従来の方法を説明する、アレイが設置されるパネル架台を斜め下方から見た部分斜視図である。
【発明を実施するための形態】
【００１６】
図１に示す本発明の好ましい一実施形態に係るパネル架台の縦枠の勾配調整機構１０は、例えば、図２に示す山間部等における起伏の多い未整地の斜面に、ソーラーパネルを構成する多数のアレイ１１を設置する際に、面状に形成されたアレイ１１を、アレイ１１毎に、複数本の縦梁１２と複数本の横梁１３とからなるパネル架台１４に支持させて、各々のパネル架台１４の上面に敷設することによって、起伏の多い未整地の斜面における個々のアレイ１１の設置位置の地盤面の形状に応じた、所定の面勾配で各々のアレイ１１が配設されるように、パネル架台１４の縦梁１２を、所定の高さ及び所定の梁勾配で延設させるように、簡易に調整して固定するための調整機構として用いられる。
【００１７】
すなわち、本実施形態では、ソーラーパネル（太陽光パネル）を構成するアレイ１１は、太陽電池の基本単位である太陽電池セルを、野外での使用環境に耐えうるように必要枚数、直列に接続して強化ガラス等で覆い、さらにアルミ枠等を取り付けてパッケージ化することによりモジュールを形成し、形成したモジュールを複数枚、直列又は並列に結束することによって、例えば縦１６０ｃｍ、横１００ｃｍ程度の大きさの矩形形状を有する面状の部材として用いられるようになっている。また、ソーラーパネルを構成するアレイ１１は、複数本の縦梁１２と複数本の横梁１３とからなるパネル架台１４の上面に敷設されることによって、所定の面勾配で配置されるようになっており、アレイ１１が敷設されるパネル架台１４の上面の設置面は、その面勾配が、少なくとも２本の支柱部材１５の上端部と連結される縦梁１２の梁勾配によって、決められるようになっている。
【００１８】
一方、例えば山間部等における起伏の多い未整地の斜面は、人の往来も少なく、景観等に特に配慮する必要もないことから、各々のアレイ１１の面勾配を統一させることなく、未整地の斜面の起伏に倣って、できるだけ簡易な構成によりソーラーパネルを安価に設けることが望ましい。また未整地の斜面を整地するには、多大なコストがかかることから、起伏の多い未整地のままの斜面に多数のアレイ１１を設置するには、図２に示すように、個々のアレイ１１毎に、当該アレイ１１の設置位置の地盤面の形状に応じた、設置し易い所定の高さ及び所定の梁勾配を適宜設定して、パネル架台１４の面勾配を決める縦梁１２を延設させて固定することが望ましい。本実施形態のパネル架台の縦枠の勾配調整機構１０は、各々のアレイ１１の設置位置において、傾斜する地盤面の形状に応じて個々に設定された、所定の高さ及び所定の梁勾配で縦梁１２が延設するように、ソーラーパネルの設置現場において縦梁１２の高さや傾斜を容易に調整可能として、各々の縦梁１２を支柱部材１５によって支持させて精度良く位置決めした状態で固定することにより、各々のアレイ１１を、パネル架台１４の上面にガタツキ等を生じさせることなく容易に敷設できるようにする機能を備えている。
【００１９】
そして、本実施形態のパネル架台の縦枠の勾配調整機構１０は、図１及び図２に示すように、ソーラーパネルを構成するアレイ１１を所定の面勾配となるように設置させる、複数本の縦梁１２と複数本の横梁１３とからなるパネル架台１４の各々の縦梁１２を、基礎部１６から立設する少なくとも２本の支柱部材１５によって支持させて、所定の高さ及び梁勾配で延設させた状態で固定するための調整機構であって、図３にも示すように、天面部１７ａと一対の側面部１７ｂとからなる開放側を下方に向けたコの字断面形状を備え、一対の側面部１７ｂの間に支柱部材１５の上端部を挟み込んだ状態で、支柱部材１５の上端部に回転可能にヒンジ連結される回転連結金物１７と、回転連結金物１７の天面部１７ａに設けられた締着孔１７ｃに締着される雄ネジボルト部１８ａ、及び雄ネジボルト部１８ａの上端部に一体として接合された縦梁受け部１８ｂを備える縦梁固定金物１８とを用いて形成されるようになっている。回転連結金物１７は、縦梁１２の梁勾配に沿った延設方向と垂直な回転軸１７ｄを中心として、回転可能に支柱部材１５の上端部にヒンジ連結されている。縦梁固定金物１８は、回転連結金物１７の天面部１７ａからの縦梁受け部１８ｂの配設高さを調整した状態で、雄ネジボルト部１８ａが締着孔１７ｃに締着されると共に、縦梁受け部１８ｂに縦梁１２が剛結されており、縦梁１２は、回転連結金物１７及び縦梁固定金物１８を介して少なくとも２本の支柱部材１５によって支持されることにより、所定の高さ及び梁勾配で延設させた状態となるように調整されて固定されるようになっている。
【００２０】
本実施形態では、ソーラーパネルを構成する各々のアレイ１１を所定の面勾配となるように設置させるパネル架台１４は、図１に示すように、複数本（本実施形態では２本）の縦梁１２を、間隔をおいて平行に配置すると共に、縦梁１２の上に重ねて複数本の横梁１３を、好ましくは縦梁１２と垂直に交差させて、間隔をおいて平行に並べて配置し、これらの縦梁１２と横梁１３とを互いに連結することによって、全体として、矩形形状に形成されたアレイ１１の平面形状に納まる大きさの、矩形枠形状の架台として組み付けられる。
【００２１】
本実施形態では、一対の縦梁１２は、好ましくは中間プレート部１２ａと一対の側面ブレート部１２ｂとからなるコの字断面形状を備える溝形鋼からなる。各々の縦梁１２は、コの字断面形状の開放側を側方に向けると共に、一対の側面プレート部１２ｂを上下に配置して、後述する勾配調整機構１０を介して支柱部材１５によって支持された状態で、所定の梁勾配で延設するようにして固定される。
【００２２】
縦梁１２の上に重ねて配置される複数本の横梁１３は、縦梁１２と同様に、好ましくは中間プレート部１３ａと一対の側面ブレート部１３ｂとからなるコの字断面形状を備える溝形鋼からなる。複数本の横梁１３は、コの字断面形状の開放側を側方に向けると共に、一対の側面プレート部１３ｂを上下に配置して、縦梁１２との交差部分において、縦梁１２の上部の側面プレート部１２ｂの上面に、当該横梁１３の下部の側面プレート部１３ｂの下面を密着させた状態で、縦梁１２の上に安定した状態で重ねられて一体として取り付けられる。平行に配置された２本の縦梁１２を、同様の高さ及び梁勾配で精度良く延設させることにより、これらに架け渡される複数本の横梁１３は、上部の側面プレート部１３ｂの上面が所定の面勾配に沿って面一に配置されるようになり、これによって当該上部の側面プレート部１３ｂの上面を設置面として、パネル架台１４の上にアレイ１１を取り付ける際に、敷設されたアレイ１１を、所定の面勾配となるように精度良く安定した状態で取り付けることが可能になる。
【００２３】
後述する勾配調整機構１０を縦梁１２との間に介在させて、パネル架台１４を地盤面から支持する支柱部材１５は、一辺部が１００ｍｍ程度の大きさの４角形の中空断面形状を備える金属製の角形パイプからなり、アレイ１１の設置位置の地盤面に設けられた基礎部１６から立設させた状態で、未整地の斜面に配設されている。本実施形態では、支柱部材１５は、各々の縦梁１２に対して少なくとも２本配置されていることにより、縦梁１２を強固に位置決めした状態で支持できるようになっている。各々の支柱部材１５は、勾配調整機構１０を介在させる分、天端部が、設定された縦梁１２の高さ位置よりも低い高さとなるように立設して設けられている。各々の支柱部材１５の上端部には、回転軸１７ｄとなる軸ボルト１７ｅを挿通させる支柱側回転軸挿通孔が、４角形の中空断面形状の一方の一対の対向する面部に、各々開口形成されている。
【００２４】
また、本実施形態では、基礎部１６は、傾斜地の地盤や軟弱な地盤に設けられた場合でも十分な支持力を得ることが可能な基礎構造として公知の、例えば特開２０１７−１５０２４８号公報に記載の基礎構造と同様の構成を備える基礎部を、未整地の地盤面に設置して用いることができる。基礎部１６は、立設させた支柱部材１５の下端部が装着固定される装着冶具１６ａと、上端部が装着冶具１６ａに連結固定された、地中に打ち込まれた複数の鋼管部材１６ｂとを備えており、複数の鋼管部材１６ｂが相当程度の深さで地中に打ち込まれていることにより、地盤面からの支持力を安定して得ることができるようになっている。基礎部１６は、特開２０１７−１５０２４８号公報に記載の基礎構造と同様の構成を備えるものの他、例えばソーラーパネルの設置現場でコンクリートを打設して形成される、コンクリート製の基礎部とすることもできる。
【００２５】
本実施形態では、基礎部１６の装着冶具１６ａは、４角形の中空断面形状を備える支柱部材１５の外周形状と同様の、４角形の内周形状を有する中空断面形状を備えており、また４角形の内周形状の一方の一対の対向する面部が、設定した縦梁１２の梁勾配の向きに沿わせて配置されるように調整された状態で取り付けられている。これによって、基礎部１６の装着冶具１６ａは、支柱部材１５を、これの４角形の外周形状の一方の一対の対向する面部が、設定した縦梁１２の梁勾配の向きに沿って配置されるようにその向きを位置決めした状態で、下端部を装着させて固定できるようになっている。またこれによって、後述する勾配調整機構１０を構成する回転連結金物１７の回転軸１７ｄとなる軸ボルト１７ｅが、支柱部材１５の上端部において一方の一対の対向する面部の間に垂直に架け渡されるようにして取り付けられることにより、回転軸１７ｄを、縦梁１２の梁勾配に沿った延設方向と垂直な方向に容易に配置することが可能になる。
【００２６】
そして、本実施形態では、勾配調整機構１０は、回転連結金物１７と縦梁固定金物１８とを含んで構成されている。回転連結金物１７は、例えば厚さ１０ｍｍ程度、幅１００ｍｍ程度の帯板形状の鋼製プレートを折り曲げることにより形成される曲げ鋼板となっており、天面部１７ａと一対の側面部１７ｂとからなる、開放側を下方に向けたコの字断面形状を備えている。天面部１７ａは、支柱部材１５の４角形の中空断面形状と同様の、これよりも僅かに大きな平面形状を備えるブレート部分となっており、これの中央部に、縦梁固定金物１８の雄ネジボルト部１８ａを締着させる締着孔１７ｃが開口形成されている。側面部１７ｂは、天面部１７ａの一方の一対の対向する辺部から各々垂直に折れ曲がって、例えば１５ｃｍ程度の長さで延設するプレート部分となっており、これの下部に、回転軸１７ｄとなる軸ボルト１７ｅを挿通させる回転軸挿通孔が各々開口形成されている。
【００２７】
回転連結金物１７は、天面部１７ａとは反対の開放側を下方に向けて、一対の側面部１７ｂの間に支柱部材１５の上端部を挟み込むと共に、各々の回転軸挿通孔を支柱部材１５の支柱側回転軸挿通孔に各々合致させ、合致させたこれらの回転軸挿通孔及び支柱側回転軸挿通孔を貫通させて、回転軸１７ｄとなる軸ボルト１７ｅを挿通し、ボルトの頭部１７ｆとは反対側の端部にナット部材１７ｇを螺着することによって、回転連結金物１７が、軸ボルト１７ｅを介して支柱部材１５の上端部に回転可能にヒンジ連結される。支柱部材１５の上端部と、回転連結金物１７の側面部１７ｂの下端部とが、回転軸１７ｄとなる軸ボルト１７ｅを介して回転可能にヒンジ連結されていることで、回転連結金物１７の天面部１７ａと、支柱部材１５の天端部との間には、相当の間隔が保持される。この間隔部分を調整代として、縦梁固定金物１８の雄ネジボルト部１８ａの、天面部１７ａからの突出長さを調整することが可能になり、これによって、縦梁固定金物１８の縦梁受け部１８ｂの、回転連結金物１７の天面部１７ａからの配設高さを調整できるようになっている。
【００２８】
縦梁固定金物１８は、例えばφ２６ｍｍ程度の太さの雄ネジボルト部１８ａと、雄ネジボルト部１８ａの上端部に一体として接合される、例えばＬ字断面形状を備える山形鋼を用いて形成された、Ｌ字形のプレート片となっている縦梁受け部１８ｂとを含んで構成されている。雄ネジボルト部１８ａは、例えば１５ｃｍ程度の長さを有している。縦梁受け部１８ｂは、雄ネジボルト部１８ａが接合される基盤プレート部１８ｃと、基盤プレート部１８ｃの一辺部から立設する立設プレート部１８ｄとからなり、基盤プレート部１８ｃの下面中央部分に、接合ナット１８ｅが、溶接等により一体として接合されている。この接合ナット１８ｅに、雄ネジボルト部１８ａの上端部を螺着して締め付けることにより、縦梁受け部１８ｂに雄ネジボルト部１８ａが、基盤プレート部１８ｃに対して垂直下方に延設した状態で、一体として固定される。
【００２９】
また、立設プレート部１８ｄには、一対の縦梁締着孔が開口形成されている。縦梁１２は、好ましくは溝形鋼の中間プレート部１２ａの外側面を、Ｌ字断面形状を備える山形鋼を用いて形成された、縦梁受け部１８ｂの基盤プレート部１８ｃの一辺部から立設する立設プレート部１８ｄの内側面に沿わせた状態で、一対の縦梁締着孔に縦梁固定ボルト１９を各々締着することによって、縦梁１２を、縦梁受け部１８ｂに剛結した状態で接合できるようになっている。
【００３０】
縦梁固定金物１８は、回転連結金物１７の天面部１７ａの締着孔１７ｃに雄ネジボルト部１８ａを螺着して回転連結金物１７に取り付けられる際に、雄ネジボルト部１８ａにおける回転連結金物１７の天面部１７ａを挟んだ上下の両側に、一対のナット部材２０が装着された状態となっている。これによって、縦梁固定金物１８の雄ネジボルト部１８ａは、回転連結金物１７の天面部１７ａを挟み込むようにして配置された一対のナット部材２０が上方及び下方から締め付けられることにより、回転連結金物１７の天面部１７ａからの縦梁固定金物１８の縦梁受け部１８ｂの配設高さを調整した状態で、締着孔１７ｃに締着されるようになっている。
【００３１】
そして、上述の構成を備える本実施形態のパネル架台の縦枠の勾配調整機構１０は、各々の縦梁１２を支持する少なくとも２本の支柱部材１５の上端部に設けられて、回転連結金物１７及び縦梁固定金物１８を介して縦梁１２を支持することにより、ソーラーパネルの設置現場において、アレイ１１を支持するパネル架台１４の縦梁１２が所定の高さ及び梁勾配で延設するように、多くの手間を要することなく容易に調整することが可能になる。
【００３２】
すなわち、本実施形態のパネル架台の縦枠の勾配調整機構１０によれば、開放側を下方に向けたコの字断面形状を備え、一対の側面部１７ｂの間に支柱部材１５の上端部を挟み込んだ状態で回転可能にヒンジ連結される回転連結金物１７と、雄ネジボルト部１８ａ及び縦梁受け部１８ｂを備える縦梁固定金物１８とを用いて形成されるようになっているので、ソーラーパネルの設置現場において、基礎部１６から立設する少なくとも２本の支柱部材１５の天端部の高さが、設定された高さとの間で例えば５ｃｍ程度のずれが生じていても、回転連結金物１７の天面部１７ａに締着される雄ネジボルト部１８ａの位置を変更することにより、多くの手間を要することなく、このようなずれを解消させなから、回転連結金物１７の天面部１７ａからの縦梁固定金物１８の縦梁受け部１８ｂの配設高さを調整して、パネル架台１４の縦梁１２を、設定された所定の高さ位置に容易に剛結することが可能になる。
【００３３】
また、このような縦梁受け部１８ｂの配設高さを調整する作業を、回転軸１７ｄを中心に回転連結金物１７を回転させて、縦梁受け部１８ｂの傾斜を変更させながら行うことにより、縦梁受け部１８ｂに剛結される縦梁１２を、多くの手間を要することなく、設定された所定の梁勾配で延設するように容易に調整することが可能になる。
【００３４】
さらに、縦梁１２は、少なくとも２本の支柱部材１５の上端部に設けられた勾配調整機構１０の縦梁固定金物１８の縦梁受け部１８ｂに、高さ及び梁勾配が調整された状態で、２箇所以上の部分で剛結されているので、回転連結金物１７が、支柱部材１５の上端部に回転可能にヒンジ連結されていても、高さ及び梁勾配が調整された後は、このような回転を効果的に阻止して、高さ及び梁勾配が調整された状態を、強固に且つ安定して保持することが可能になる。
【００３５】
なお、本発明は上記実施形態に限定されることなく種々の変更が可能である。例えば、パネル架台を構成する縦梁や横梁は、溝形鋼からなるものである必要は必ずしも無く、Ｈ型鋼や山形鋼等の、その他の鋼材を用いて形成されていても良い。縦梁固定金物の縦梁受け部は、Ｌ字断面形状を備える山形鋼を用いて形成されている必要は必ずしも無く、平板形状の鋼製プレ―ト等の、縦梁を剛結することが可能なその他の鋼材を用いて形成することもできる。縦梁は、縦梁固定金物の縦梁受け部に、溶接等によって剛結することもできる。本発明のパネル架台の縦枠の勾配調整機構は、山間部等の未整地の斜面にソーラーパネルを設置する場合に限定されることなく、整地された平坦な領域にソーラーパネルを設置する際にも、パネル架台の縦梁を所定の高さ及び梁勾配で延設させるための調整機構として用いることができる。
【符号の説明】
【００３６】
１０  パネル架台の縦枠の勾配調整機構
１１  アレイ
１２  縦梁
１２ａ  中間プレート部
１２ｂ  側面ブレート部
１３  横梁
１３ａ  中間プレート部
１３ｂ  側面ブレート部
１４  パネル架台
１５  支柱部材
１６  基礎部
１６ａ  装着冶具
１６ｂ  鋼管部材
１７  回転連結金物
１７ａ  天面部
１７ｂ  側面部
１７ｃ  締着孔
１７ｄ  回転軸
１７ｅ  軸ボルト
１７ｆ  頭部
１７ｇ  ナット部材
１８  縦梁固定金物
１８ａ  雄ネジボルト部
１８ｂ  縦梁受け部
１８ｃ  基盤プレート部
１８ｄ  立設プレート部
１８ｅ  接合ナット
１９  縦梁固定ボルト
２０  ナット部材
【図１】
2020096418.tif 000003
【図２】
2020096418.tif 000004
【図３】
2020096418.tif 000005
【図４】
2020096418.tif 000006